【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
入射光を電気信号に変換することにより撮像を行う撮像手段と、
前記撮像手段のフィールド毎に、複数のフィールド分の前記電気信号を読み出すように、前記撮像手段を駆動制御する制御手段と、
前記フィールド毎に読み出した電気信号を処理する信号処理手段とを有し、
前記制御手段は、前記フィールド毎に、前記撮像手段を駆動する水平周期を異ならせることを特徴とする撮像装置。
【請求項２】
前記制御手段は、前記水平周期の各水平期間における有効画素期間以外の期間の長さを異ならせることで、前記フィールド毎に水平周期を異ならせることを特徴とする請求項１に記載の撮像装置。
【請求項３】
前記制御手段は、前記水平周期の各水平期間におけるブランキング期間を異ならせることで、前記フィールド毎に水平周期を異ならせることを特徴とする請求項２に記載の撮像装置。
【請求項４】
前記制御手段は、前記水平周期の各水平期間における空転送期間を異ならせることで、前記フィールド毎に水平周期を異ならせることを特徴とする請求項２に記載の撮像装置。
【請求項５】
前記信号処理手段は、前記フィールド毎に読み出した前記複数のフィールド分の電気信号を１枚の画像の電気信号に構成することを特徴とする請求項１乃至４のいずれか１項に記載の撮像装置。
【請求項６】
前記複数のフィールドそれぞれは、前記撮像手段において予め設定された数のライン置きのラインからなることを特徴とする請求項１乃至５のいずれか１項に記載の撮像装置。
【請求項７】
入射光を電気信号に変換することにより撮像を行う撮像手段を有する撮像装置の制御方法であって、
前記撮像手段を駆動する水平周期を第１の周期に設定する第１の設定工程と、
前記第１の周期で撮像動作を行って、前記撮像手段の第１のフィールドから第１の撮像信号を得る第１の撮像工程と、
前記撮像手段を駆動する水平周期を、前記第１の周期とは異なる第２の周期に設定する第２の設定工程と、
前記第２の周期で撮像動作を行って、前記撮像手段の前記第１のフィールドと異なる第２のフィールドから第２の撮像信号を得る第２の撮像工程と、
前記第１の撮像信号及び前記第２の撮像信号を処理する信号処理工程と
を有することを特徴とする制御方法。
【請求項８】
前記水平周期の各水平期間における有効画素期間以外の期間の長さを異ならせることで、前記第１の周期と前記第２の周期とを異ならせることを特徴とする請求項７に記載の制御方法。
【請求項９】
前記水平周期の各水平期間におけるブランキング期間を異ならせることで、前記第１の周期と前記第２の周期とを異ならせることを特徴とする請求項８に記載の制御方法。
【請求項１０】
前記水平周期の各水平期間における空転送期間を異ならせることで、前記第１の周期と前記第２の周期とを異ならせることを特徴とする請求項８に記載の制御方法。
【請求項１１】
前記信号処理工程では、前記第１の撮像信号と前記第２の撮像信号とを、１枚の画像の少なくとも一部を構成するように処理することを特徴とする請求項７乃至１０のいずれか１項に記載の制御方法。
【請求項１２】
前記第１及び第２のフィールドそれぞれは、前記撮像手段において予め設定された数のライン置きのラインからなることを特徴とする請求項７乃至１１のいずれか１項に記載の制御方法。
【手続補正２】
【補正対象書類名】明細書
【補正対象項目名】００３７
【補正方法】変更
【補正の内容】
【００３７】
上記目的を達成するために、本発明の撮像装置は、入射光を電気信号に変換することにより撮像を行う撮像手段と、前記撮像手段のフィールド毎に、複数のフィールド分の前記電気信号を読み出すように、前記撮像手段を駆動制御する制御手段と、前記フィールド毎に読み出した電気信号を処理する信号処理手段とを有し、前記制御手段は、前記フィールド毎に、前記撮像手段を駆動する水平周期を異ならせる。
【手続補正３】
【補正対象書類名】明細書
【補正対象項目名】００３８
【補正方法】変更
【補正の内容】
【００３８】
また、入射光を電気信号に変換することにより撮像を行う撮像手段を有する撮像装置の本発明の制御方法は、前記撮像手段を駆動する水平周期を第１の周期に設定する第１の設定工程と、前記第１の周期で撮像動作を行って、前記撮像手段の第１のフィールドから第１の撮像信号を得る第１の撮像工程と、前記撮像手段を駆動する水平周期を、前記第１の周期とは異なる第２の周期に設定する第２の設定工程と、前記第２の周期で撮像動作を行って、前記撮像手段の前記第１のフィールドと異なる第２のフィールドから第２の撮像信号を得る第２の撮像工程と、前記第１の撮像信号及び前記第２の撮像信号を処理する信号処理工程とを有する。
【手続補正４】
【補正対象書類名】明細書
【補正対象項目名】００４５
【補正方法】変更
【補正の内容】
【００４５】
３４０は測光制御部４６からの測光情報に基づいて、後述するカメラ本体１００のシャッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【手続補正５】
【補正対象書類名】明細書
【補正対象項目名】００５８
【補正方法】変更
【補正の内容】
【００５８】
なお、前述したように、Ａ／Ｄ変換器１６からの画像データを用いて画像処理回路２０により演算された演算結果に基づいて露出制御及びＡＦ制御を行っても良い。その場合、システム制御回路５０がシャッター制御部４０、絞り制御部３４０、フォーカス制御部３４２に対し、ビデオＴＴＬ方式を用いた露出制御及びＡＦ制御を行うことが可能である。
【手続補正６】
【補正対象書類名】明細書
【補正対象項目名】００６９
【補正方法】変更
【補正の内容】
【００６９】
６０はモードダイアルスイッチで、静止画撮影モードと動画撮影モードの動作の始動を区別して行うためのモード切替えスイッチである。
【手続補正７】
【補正対象書類名】明細書
【補正対象項目名】００９０
【補正方法】変更
【補正の内容】
【００９０】
電池交換等の電源投入により、システム制御回路５０はフラグや制御変数等を初期化し、カメラ本体１００の各部において必要な所定の初期設定を行う（ステップＳ１０１）。
【手続補正８】
【補正対象書類名】明細書
【補正対象項目名】０１０６
【補正方法】変更
【補正の内容】
【０１０６】
図３の静止画撮影処理においては、システム制御回路５０と絞り制御部３４０或いはフォーカス制御部３４２間の各種信号のやり取りは、インタフェース１２０、コネクタ１２２及び３２２、インタフェース３２０、レンズシステム制御回路３５０を介して行われる。
【手続補正９】
【補正対象書類名】明細書
【補正対象項目名】０１１５
【補正方法】変更
【補正の内容】
【０１１５】
また、図１における撮像素子１４及びＡ／Ｄ変換部１６を含むアナログ撮像信号領域と、タイミング発生回路１８の基本構成は、図８を参照して背景技術で説明した撮像部の構成と同様の構成要件を備えている。図８における同期信号発生回路（ＳＳＧ）５０７と同様の機能はシステム制御回路５０に内蔵されている。また、ＯＳＣ１（５０５）と同様の機能はタイミング発生回路１８に内蔵されており、ＯＳＣ２（５０８）と同様の機能は、システム制御回路５０に内蔵されている。なお、図８におけるデジタル信号処理部５０４は、図１においてはひとつの構成としてではなく、画像処理回路２０、メモリ制御回路２２、画像表示メモリ２４など、分割して、より詳細な構成で示されている。